(57)【要約】      （修正有）【課題】短時間で冷却することができ、凍結せず、しかも腐敗するおそれがない冷感マットを提供する。【解決手段】軟質外袋内１１には軟質内袋１２が収納されて封入され、上記軟質内袋１２内には蓄冷機能を有するあら塩が充填されて密封され、上記あら塩は塩粒子の表面ににがりが付着されている。あら塩は安息角が５５°〜７５°のあら塩であるのが望ましい。複数の軟質内袋を軟質の樹脂パッド１３に貼り付けて外袋に収納するのがよい。【選択図】図２
2019107254.tif 000002
【特許請求の範囲】
【請求項１】
軟質外袋内（１１）には軟質内袋（１２）が収納されて封入され、上記軟質内袋（１２）内には蓄冷機能を有するあら塩が充填されて密封され、上記あら塩にはにがりが含まれ、その塩粒子の表面にはにがりが付着していることを特徴とする冷感マット。
【請求項２】
上記あら塩は安息角が４５°〜７５°のあら塩である請求項１記載の冷感マット。
【請求項３】
複数の上記軟質内袋（１２）が軟質の樹脂パッド（１３）又は軟質ポリエチレン製のパッドに貼り付けられている請求項１記載のマット。
【発明の詳細な説明】
【技術分野】
【０００１】
本発明は冷感マットに関し、特に短時間で冷却することができ、凍結せず、しかも腐敗するおそれがない冷感マットに関する。
【背景技術】
【０００２】
例えば、発熱時に頭部を冷したり、真夏の猛暑時に身体や頭部を冷やして快適さや快眠を得たり、運動中に傷めた腕や肩をアイシングするのに、保冷材がよく利用される。
【０００３】
この種の保冷材には、塩化ナトリウム、塩化エンモニウム、塩化マグネシウムなどの無機塩の水溶液、メタノールやエタノールなどのアルコール水溶液、水溶性高分子にゲル化剤を添加したものを蓄冷剤として利用したものが知られている（特許文献１）。
【０００４】
また、海水、食塩、小麦粉を加熱してペースト状とした材料と、おが屑、ＰＰ製パイル、サラダ油とを混合してＰＥ製袋に封入した保冷材も提案さている（特許文献２）。
【先行技術文献】
【特許文献】
【０００５】
【特許文献１】特開平１１−２５７８１４号公報
【特許文献２】実用新案登録第３０２３８３３号公報
【発明の開示】
【発明が解決しようとする課題】
【０００６】
しかし、特許文献１記載の保冷材では蓄冷剤を凍結させる必要があるので、予め冷凍庫で長時間冷凍しなければならず、冷凍し始めて直ぐに使用することができず、蓄冷剤が凍結しているので、身体や頭部の形状に沿わず、使い心地があまりよくなかった。
また、蓄冷剤が凍結しているので、人体には冷たすぎることがあり、肌に直接触れると凍傷のおそれがあり、１５〜２０分程度に使用が制限されることがあった。
【０００７】
他方、特許文献２記載の保冷材では冷凍しないので、身体や頭部の形状に沿って変形でき、快適な使い心地が得られるものの、原料に起因する腐敗が懸念される。
【０００８】
本発明はかかる問題点に鑑み、短時間で冷却することができ、凍結せず、しかも腐敗するおそれがない冷感マットを提供することを課題とする。
【課題を解決するための手段】
【０００９】
そこで、本発明に係る冷感マットは、軟質外袋内には軟質内袋が収納されて封入され、上記軟質内袋内には蓄冷機能を有するあら塩が充填されて密封され、上記あら塩にはにがりが含まれ、塩粒子の表面にはにがりが付着していることを特徴とする。
【００１０】
本発明の特徴の１つは蓄冷剤として、塩粒子の表面ににがりが含まれたあら塩を用いるようにした点にある。
【００１１】
これにより、以下のような効能が期待できる。
１）あら塩は熱伝導が、水の１０倍程度あるので、冷感マットは短時間で冷たくなる。
２）あら塩はその比熱が水と比べて２０％程度あるので、凍結させなくても冷蔵で冷たく感じる。
３）また、体温より低ければ、常温でも低い温度エネルギーを多く与えるので、冷たく感じられる。水分を主成分とする冷却剤を冷たすぎると感じる人も多いが、その人達もより高い温度でも涼やかさを感じることができる。
４）その結果、特許文献１記載の保冷材のような冷凍温度とする必要がないので、冷却を開始して１０分程度で使えるようになる。
５）飽和食塩水の氷点は−２１．３°Ｃ、にがりの主成分である塩化マグネシウム溶液の氷点は−３３°Ｃと低いので、家庭用の冷凍庫では凍らない。
凍らないので、溶解熱も必要とせず、冷凍させるタイプの保冷材のように長時間冷温を維持せず、直接肌に触れても凍傷の懸念が少ない。
また、凍らないので、固くならず、軟らかい状態を保ち、身体や頭部の形状に沿って変形させることができる。
６）にがりを含んだあら塩（例えば、本件出願人の提供に係るあら塩）は使用する範囲の温度０°Ｃから室温で乾燥により固まることがなく、塩化マグネシウムを主成分とするにがりが表面にあることで結晶水を失うことがない。
また、にがりを含んだあら塩は４５°〜７５°の範囲内の大きな安息角を有し、例えば図３に示される安息角からも理解されるように流動し難いので、袋内で偏り難い。その結果、複数回使用しても固まってゴツゴツすることがなく、偏らず、軟質のマット形状を保持することができる。
７）あら塩は対流を起こさないので、あら塩自体の物性によって適切な時間だけ保冷機能を維持することができる。
８）本例出願人の提供に係るあら塩は食用にも使え、しかも防腐効果があり、変質し難いので、安心安全である。
９）本例の冷感マットは樹脂製のマットに比べ、マイクロプラスティックのような環境に悪影響を与えることがなく、廃棄も安全安心である。
【図面の簡単な説明】
【００１２】
【図１】本発明に係る冷感マットの好ましい実施形態を示す図である。
【図２】上記実施形態を示す分解斜視図である。
【図３】本件出願人の提供に係るあら塩（ａ）及び料理塩（ｂ）の安息角を示す図である。
【発明を実施するための形態】
【００１３】
以下、本発明を図面に示す具体例に基づいて詳細に説明する。図１及び図２は本発明に係る冷感マットの好ましい実施形態を示す。図において、本例の冷感マット１０はポリエチレン製の軟質外袋１１、複数のポリエチレン製の軟質内小袋１２及び樹脂パッド（又は軟質ポリエチレン製のパッド）１３から構成される。
【００１４】
軟質内小袋１２内には本件出願人の提供に係るあら塩が３０ｇ〜２５０ｇ充填され、脱気され、投入口が熱シールなどによって密封されている。
【００１５】
この軟質内小袋１２が複数、例えば３つ軟質の樹脂パッド１３に貼り付けられ、これらがポリエチレン製の軟質外袋１１内に差し込まれ、軟質外袋１１が脱気されて投入口が熱シールなどによって密封されている。
【００１６】
本例の冷感マットを庫内温度２°Ｃの冷蔵庫で１０分、２０分、３０分冷却し、そのときの冷感マットの温度を求めた後、温度２７°Ｃの環境に取り出して放置し、５分、８分、１１分、１５分、２０分経過後の温度変化を測定したところ、表１のような結果が得られた。
【００１７】
表１
経過時間（分）
パッド温度（°Ｃ）
冷蔵時間    直後      ５分      ８分      １１分      １５分    ２０分
１０分    １８°Ｃ  １９°Ｃ  ２０°Ｃ    ２１°Ｃ    ２２°Ｃ  ２３°Ｃ
１５分      ９°Ｃ  １１°Ｃ  １３°Ｃ    １５°Ｃ    １７°Ｃ  １８°Ｃ
２０分      ５°Ｃ    ８°Ｃ  １０°Ｃ    １２°Ｃ    １４°Ｃ  １６°Ｃ
【００１８】
表１から、少なくとも１０分冷蔵庫で冷却すれば使用を開始でき、１５〜２０分間冷却に利用することができ、又２０分冷却すると、２０分以上冷却に使用できる。また、温度は５°Ｃから２３°Ｃまでの温度範囲で用いることができ、本例の冷感マットは直接肌に触れても凍傷が懸念されることがないことも確認された。
【００１９】
その結果、以下のような作用効果が期待される。
１）机の上に乗せると「塩枕」として使える。ゴツゴツした保冷材が多いが、柔らかな枕になるので、快適に仕える。
２）身体の下に置くと、寝床がひんやりして安眠につながる。腰の下に置くと脊椎のＳ字カーブの保全を助ける。腰痛のユーザーの安眠に有用である。さらに、冷たすぎず、快適である。
３）暑い時に体を冷やして休憩できる。冷たすぎず、快適である。
４）猛暑時のドライブの際、座席の暑さを軽減できる。冷たすぎず、柔らかで快適である。
５）スポーツ後のアイシングにも良い。家庭用冷蔵庫では凍結に至らないので、冷たすぎない。
６）保冷時間が１５分程度なので、凍傷の危険も少ない。
７）発熱時の熱取りや疲れ眼を冷やすにも、有用である。冷たすぎず、快適である。
【符号の説明】
【００２０】
１０      冷感マット
１１      軟質外袋
１２      軟質内小袋
１３      樹脂パッド（又は軟質ポリエチレン製のパッド）
【図１】
2019107254.tif 000003
【図２】
2019107254.tif 000004
【図３】
2019107254.tif 000005